(57)【要約】【課題】ページ画像の視認性を確保しつつ、当該ページ画像の数量をユーザに容易に認識させることが可能な表示制御装置を提供すること。【解決手段】表示制御装置は、表示順序が設定された複数のページ画像ＰＰのうち、所定のページ画像ＰＰを正面表示部２３に表示させる第１表示処理、および、複数のページ画像ＰＰの数量を表す左厚み画像ＴＬ、右厚み画像ＴＲを正面表示部２３と異なる左側面表示部２４、右側面表示部２５に表示させる第２表示処理を行う表示制御部を備える。【選択図】図４
2015179362.tif 000002
【特許請求の範囲】
【請求項１】
表示順序が設定された複数のページ画像のうち、所定のページ画像を第１表示部に表示させる第１表示処理、および、前記複数のページ画像の数量を表す数量画像を前記第１表示部と異なる第２表示部に表示させる第２表示処理を行う表示制御部を備えることを特徴とする表示制御装置。
【請求項２】
ページめくり操作を検出すると、前記表示順序に基づいて前記ページ画像をめくって前記第１表示部に表示させるページめくり部を備え、
前記ページめくり部は、前記第１表示部上で前記ページめくり操作がされた場合と、前記第２表示部上で前記ページめくり操作がされた場合とで、前記ページ画像をめくる数量を変更して前記第１表示部に前記ページ画像を表示させることを特徴とする請求項１に記載の表示制御装置。
【請求項３】
前記第１表示部または前記第２表示部に指示物が接触または近接したことを検出する指示位置検出部を備え、
前記ページめくり部は、前記指示位置検出部での検出結果に基づいて、前記第１表示部上または前記第２表示部上で前記ページめくり操作がされたことを検出することを特徴とする請求項２に記載の表示制御装置。
【請求項４】
前記ページめくり部は、前記第２表示部に接触または近接した前記指示物が、接触または近接したまま第１方向に移動したことを検出した場合と、接触または近接したまま前記第１方向と異なる第２方向に移動したことを検出した場合とで、前記ページ画像をめくる数量を変更して前記第１表示部に前記ページ画像を表示させることを特徴とする請求項３に記載の表示制御装置。
【請求項５】
前記ページめくり部は、前記ページめくり操作を検出すると、当該ページめくり操作を検出したときに表示中の前記ページ画像の一部をめくり前画像として表示したまま、前記表示順序に基づきめくったページ画像を半めくり画像として表示させることを特徴とする請求項２から請求項４のいずれか一項に記載の表示制御装置。
【請求項６】
前記ページめくり部は、前記ページめくり操作に基づくページ画像をめくる処理を有効にする有効操作を検出すると、前記めくり前画像に代えて、前記ページめくり操作に基づき最後にめくった前記半めくり画像の全体を表示させ、無効にする無効操作を検出すると、前記半めくり画像に代えて、前記めくり前画像の全体を表示させることを特徴とする請求項５に記載の表示制御装置。
【請求項７】
第１表示部および第２表示部を有する表示装置と、
請求項１から請求項６のいずれか一項に記載の表示制御装置と、を備えることを特徴とする画像表示装置。
【請求項８】
前記表示装置は、可撓性を有する１つの表示部を有し、
前記表示制御装置は、
前記表示部が曲げられた位置を検出する曲げ検出部と、
前記表示部のうち、前記曲げ検出部で検出された前記曲げられた位置を挟んで一方側を前記第１表示部に設定し、他方側を前記第２表示部に設定する表示設定部と、を備えることを特徴とする請求項７に記載の画像表示装置。
【請求項９】
表示順序が設定された複数のページ画像のうち、所定のページ画像を第１表示部に表示させる第１表示処理、および、前記複数のページ画像の数量を表す数量画像を前記第１表示部と異なる第２表示部に表示させる第２表示処理を行う表示制御ステップを実施することを特徴とする表示制御方法。
【請求項１０】
請求項９に記載の表示制御方法をコンピュータに実施させることを特徴とする表示制御プログラム。
【請求項１１】
請求項１０に記載の表示制御プログラムがコンピュータにて読み取り可能に記録されたことを特徴とする表示制御プログラムを記録した記録媒体。
【発明の詳細な説明】
【技術分野】
【０００１】
本発明は、表示制御装置、画像表示装置、表示制御方法、表示制御プログラム、および、表示制御プログラムを記録した記録媒体に関する。
【背景技術】
【０００２】
従来、電子書籍の利用方法が提案されている（例えば、特許文献１〜３参照）。
特許文献１の構成では、書籍の最初のページから表示対象のページまでの厚みを書籍の左ページに対応する操作表示部の端部に表示するととも、表示対象のページから最後のページまでの厚みを書籍の右ページに対応する操作表示部の端部に表示する。
特許文献２の構成では、複数ページの厚さを表示する操作がなされると、表示画面上にページコンテンツとともに書籍の厚みを表示する。
特許文献３の構成では、ページ画像を表示するとともに、当該ページ画像の先端側に小口部を表示する。
【先行技術文献】
【特許文献】
【０００３】
【特許文献１】特開２０００−３５３１７０号公報
【特許文献２】特開２００６−５３６０５号公報
【特許文献３】特開２０１２−８３８８９号公報
【発明の概要】
【発明が解決しようとする課題】
【０００４】
しかしながら、特許文献１〜３のような構成では、１つの表示部にページ画像と、当該ページ画像の数量を表す画像と、を同時に表示するため、ページ画像の表示範囲が狭くなってしまう。このため、ページ画像の視認性が悪くなるおそれがあるという問題点が一例として挙げられる。
【０００５】
本発明は、ページ画像の視認性を確保しつつ、当該ページ画像の数量をユーザに容易に認識させることが可能な表示制御装置、画像表示装置、表示制御方法、表示制御プログラム、および、表示制御プログラムを記録した記録媒体を提供することを１つの目的とする。
【課題を解決するための手段】
【０００６】
請求項１に記載の発明は、表示順序が設定された複数のページ画像のうち、所定のページ画像を第１表示部に表示させる第１表示処理、および、前記複数のページ画像の数量を表す数量画像を前記第１表示部と異なる第２表示部に表示させる第２表示処理を行う表示制御部を備えることを特徴とする表示制御装置である。
【０００７】
請求項７に記載の発明は、第１表示部および第２表示部を有する表示装置と、請求項１から請求項６のいずれか一項に記載の表示制御装置と、を備えることを特徴とする画像表示装置である。
【０００８】
請求項９に記載の発明は、表示順序が設定された複数のページ画像のうち、所定のページ画像を第１表示部に表示させる第１表示処理、および、前記複数のページ画像の数量を表す数量画像を前記第１表示部と異なる第２表示部に表示させる第２表示処理を行う表示制御ステップを実施することを特徴とする表示制御方法である。
【０００９】
請求項１０に記載の発明は、請求項９に記載の表示制御方法をコンピュータに実施させることを特徴とする表示制御プログラムである。
【００１０】
請求項１１に記載の発明は、請求項１０に記載の表示制御プログラムがコンピュータにて読み取り可能に記録されたことを特徴とする表示制御プログラムを記録した記録媒体である。
【図面の簡単な説明】
【００１１】
【図１】本発明の一実施形態に係る画像表示装置のブロック図。
【図２】前記一実施形態における画像表示装置の模式図であり、（Ａ）は表示部が曲げられる前の正面図、（Ｂ）は表示部が曲げられた後の正面図、（Ｃ）は（Ｂ）の底面図。
【図３】前記一実施形態における表示制御方法のフローチャート。
【図４】前記一実施形態における表示制御方法の説明図。
【図５】前記一実施形態における第１めくり処理のフローチャート。
【図６】前記一実施形態における第１めくり処理の説明図。
【図７】前記一実施形態における第２めくり処理のフローチャート。
【図８】前記一実施形態における第２めくり処理の説明図。
【図９】前記一実施形態における第２めくり処理の説明図。
【図１０】前記一実施形態における第２めくり処理のフローチャート。
【図１１】本発明の変形例に係る半めくり処理の説明図。
【図１２】前記変形例に係る半めくり処理の説明図。
【発明を実施するための形態】
【００１２】
以下、本発明の一実施形態について説明する。
［画像表示装置の構成］
図１において、画像表示装置１は、表示装置２と、記憶部３と、表示制御装置４と、を備える。
なお、画像表示装置１は、タッチパネルを備えるデスクトップ型、ラップトップ型、テーブル型、壁掛け型の端末であってもよいし、いわゆるスマートフォン（Smartphone）や、タブレットＰＣ（Tablet PC）といった、携帯型の通信端末であってもよい。
【００１３】
表示装置２は、図２（Ａ）に示すように、天面２１１が開口する略長方形箱状のケース２１と、このケース２１の天面２１１から露出するように設けられた１つの表示部２２と、を備える。ケース２１は、図２（Ｂ）、（Ｃ）に示すように、長手方向両端側が底面２１２側に折り曲げ可能に構成されている。表示部２２は、可撓性を有する材料により形成されている。このため、ケース２１が折り曲げられると、表示部２２も折り曲げられる。
なお、ケース２１には、折り曲げられたときに、この折り曲げられた状態を維持できる維持機構が設けられていることが好ましい。
【００１４】
記憶部３は、画像表示装置１を制御するための各種プログラムやデータを記憶する。また、記憶部３は、画像表示装置１に電子書籍ＤＢを表示させるためのページ画像ＰＰを記憶する。このページ画像ＰＰには、表示順序（ページ番号）が設定されている。なお、ページ画像ＰＰは、電子書籍ＤＢを表示させるものに限らず、デジタルカメラなどの撮影機器で撮影された複数の画像を所定の表示順序で表示させるもの（電子アルバム）であってもよい。また、ページ画像ＰＰは、文書、表、グラフ、プレゼンテーション資料などの複数の画像を所定の表示順序で表示させるものであってもよい。さらに、ページ画像ＰＰとしては、ＪＰＥＧ（Joint Photographic Experts Group）形式やＢＭＰ（BitMaP）形式のピクチャ画像であってもよいし、テキストデータやＨＴＭＬ（HyperText Markup Language）データであってもよい。
【００１５】
表示制御装置４は、曲げ検出部４１と、指示位置検出部４２と、コンピュータとしての制御部４３と、を備える。
【００１６】
曲げ検出部４１は、図２（Ｂ）、（Ｃ）に示すように、表示部２２の左右両端が折り曲げられたことを検出し、その検出結果を制御部４３へ出力する。この検出結果に基づいて、折り曲げられた表示部２２のうち中央部分は第１表示部としての正面表示部２３に設定され、左部分は第２表示部としての左側面表示部２４に設定され、右部分は第２表示部としての右側面表示部２５に設定される。
ここで、曲げ検出部４１としては、曲げ状態に応じた信号を出力する曲げセンサ等が例示できる。
【００１７】
指示位置検出部４２は、人間の指やスタイラス等の指示物Ｆが表示部２２、各表示部２３，２４，２５に接触または近接したときに、接触位置または近接位置を指示位置として検出し、その検出結果を制御部４３に出力する。
なお、指示位置検出部４２としては、指示物Ｆが表示部２２、各表示部２３，２４，２５に近接したことを検出可能な赤外線方式のタッチパネルや、指示物Ｆが表示部２２、各表示部２３，２４，２５に接触したことを検出可能な静電容量方式や電磁誘導方式などの各種方式のタッチパネルを用いることができる。なお、指示位置検出部４２は、タッチパネルに限定されず、例えば、画像表示装置１に接続されたマウスやキーボード等のユーザによる操作指示を、画像表示装置１に入力可能な各種入力手段でもよい。
【００１８】
制御部４３は、記憶部３に記憶されたプログラムおよびデータをＣＰＵ（Central Processing Unit）が処理することにより構成される、表示設定部４３１と、表示制御部４３２と、ページめくり部４３３と、を備える。
【００１９】
表示設定部４３１は、曲げ検出部４１での検出結果に基づいて、表示部２２のうち、左側の曲げられた位置Ｃ１を挟んで一方側としての右側を正面表示部２３に設定し、他方側としての左側を左側面表示部２４に設定する。また、右側の曲げられた位置Ｃ２を挟んで一方側としての左側を正面表示部２３に設定し、他方側としての右側を右側面表示部２５に設定する。
【００２０】
表示制御部４３２は、各表示部２３，２４，２５が設定されていない場合、すなわち表示部２２が曲げられていない場合、図２（Ａ）に示すように、電子書籍ＤＢを見開き２ページの紙媒体の書籍をイメージした画像として表示させる。すなわち、表示制御部４３２は、電子書籍ＤＢを構成する複数のページ画像ＰＰのうち、２つのページ画像ＰＰを並べて表示部２２に表示させる。
なお、表示制御部４３２は、片面印刷の紙媒体をイメージして、１つのページ画像ＰＰを表示部２２に表示させてもよい。
【００２１】
また、表示制御部４３２は、表示設定部４３１で各表示部２３，２４，２５が設定されると、第１表示処理および第２表示処理を行う。具体的には、表示制御部４３２は、第１表示処理として、図２（Ｂ）に示すように、電子書籍ＤＢを構成する複数のページ画像ＰＰのうち、２つのページ画像ＰＰを見開きで正面表示部２３に表示させる処理を行う。表示制御部４３２は、第２表示処理として、数量画像としての左厚み画像ＴＬを左側面表示部２４に表示させ、数量画像としての右厚み画像ＴＲを右側面表示部２５に表示させる。例えば、正面表示部２３に表示された見開きの左側のページ画像ＰＰのページ番号が、右側のページ画像ＰＰのページ番号より小さい場合、左厚み画像ＴＬは、左側のページ画像ＰＰから最初のページ番号のページ画像ＰＰまでのページ画像ＰＰの数量を、実際の書籍の小口をイメージした画像で表す。また、右厚み画像ＴＲは、右側のページ画像ＰＰから最後のページ番号のページ画像ＰＰまでのページ画像ＰＰの数量を、実際の書籍の小口をイメージした画像で表す。
【００２２】
ページめくり部４３３は、ページめくり操作を検出すると、ページ番号に基づいてページ画像ＰＰをめくって、表示部２２、正面表示部２３、左側面表示部２４および右側面表示部２５に表示させる。
なお、ページめくりとは、ページ番号に基づいて表示部２２や正面表示部２３に表示させるページ画像ＰＰを入れ替える処理を意味する。また、ページめくり操作としては、ドラッグ操作やフリック操作が例示できるが、本実施形態では、ドラッグ操作を適用する場合を例示して説明する。ドラッグ操作は、指示物Ｆを例えば表示部２２に接触または近接させ、そのまま表示部２２に沿って移動させることにより行われる。さらに、ドラッグ操作における指示物Ｆの移動速度はフリック操作よりも遅く、移動距離はフリック操作よりも長い。
【００２３】
具体的には、ページめくり部４３３は、各表示部２３，２４，２５が設定されていない場合、指示位置検出部４２での検出結果に基づいて、表示部２２に表示された右側のページ画像ＰＰに対し、ドラッグ操作が行われたことを検出すると、ページ画像ＰＰのめくり処理としての１ページのページ送り処理を行う。また、ページめくり部４３３は、左側のページ画像ＰＰに対し、ドラッグ操作が行われたことを検出すると、ページ画像ＰＰのめくり処理としての１ページのページ戻し処理を行う。
ここで、本実施形態において、Ｎ（Ｎは整数）ページのページ送り処理とは、右側のページ画像ＰＰの（２×Ｎ−１）ページ後のページ画像ＰＰを左側のページ画像ＰＰに代えて表示させ、（２×Ｎ）ページ後のページ画像ＰＰを右側のページ画像ＰＰに代えて表示させる処理を意味する。また、Ｎページのページ戻し処理とは、左側のページ画像ＰＰの（２×Ｎ−１）ページ前のページ画像ＰＰを右側のページ画像ＰＰに代えて表示させ、（２×Ｎ）ページ前のページ画像ＰＰを左側のページ画像ＰＰに代えて表示させる処理を意味する。
なお、片面印刷の紙媒体をイメージして１つのページ画像ＰＰを表示部２２、各表示部２３，２４，２５に表示させる場合、Ｎページのページ送り（戻し）処理とは、Ｎページ後（前）のページ画像ＰＰを表示中のページ画像ＰＰに代えて表示させる処理を意味する。
【００２４】
ページめくり部４３３は、各表示部２３，２４，２５が設定されている場合、指示位置検出部４２での検出結果に基づいて、ドラッグ操作が行われたことを検出すると、正面表示部２３上でドラッグ操作が行われた場合と、右側面表示部２５上でドラッグ操作が行われた場合とで、ページ画像ＰＰをめくる数を異ならせる。
また、ページめくり部４３３は、右側面表示部２５上で第１方向としての上下方向へのドラッグ操作が行われた場合と、第１方向と異なる（交差する）第２方向としての右方向へのドラッグ操作が行われた場合とで、ページ画像ＰＰをめくる数を異ならせる。
【００２５】
さらに、ページめくり部４３３は、各表示部２３，２４，２５上でのドラッグ操作を検出すると、当該ドラッグ操作を検出したときに表示中のページ画像ＰＰの一部をめくり前画像として表示したまま、めくったページ画像ＰＰを半めくり画像として正面表示部２３に表示させる。また、ページめくり部４３３は、ページ画像ＰＰのめくり処理を有効にする有効操作を検出すると、めくり前画像に代えて、最後にめくった半めくり画像の全体を表示させ、無効にする無効操作を検出すると、半めくり画像に代えて、めくり前画像の全体を表示させる。
【００２６】
また、ページめくり部４３３は、所定のドラッグ操作などのしおり設定操作を検出すると、所定のページ画像ＰＰにしおりを設定する。そして、ページめくり部４３３は、複数ページのページ送り処理または戻し処理の途中に、しおりが設定されたページ画像ＰＰが存在することを検出すると、ページ送り処理またはページ戻し処理を途中で終了し、当該しおりが設定されたページ画像ＰＰを表示させる。なお、このしおり設定に基づく処理を行わなくてもよい。
【００２７】
さらに、ページめくり部４３３は、Ｎページのページ送り処理またはページ戻し処理を行うと、この処理に対応して右厚み画像ＴＲおよび左厚み画像ＴＬが表す厚みを変更する。
【００２８】
［画像表示装置の作用］
次に、画像表示装置１の作用として、表示制御方法について説明する。
制御部４３の表示制御部４３２は、図２（Ａ）に示すように、表示部２２が折り曲げられていない状態で、所定の操作に基づいて、電子書籍ＤＢを表示する旨の操作を検出すると、図３に示すように、所定ページの２つのページ画像ＰＰを見開きで表示させる（ステップＳ１）。この後、ページめくり部４３３は、曲げ検出部４１での検出結果に基づいて、表示部２２が曲げられているか否かを判断する（ステップＳ２）。
このステップＳ２において、表示設定部４３１は、表示部２２が曲げられていないと判断した場合、所定時間経過後にステップＳ２の処理を行う。なお、表示設定部４３１において表示部２２が曲げらていると判断するまでの間に、ページめくり部４３３は、表示中のページ画像ＰＰに対し、ドラッグ操作が行われたことを検出すると、１ページの送り処理または戻し処理を行う。
一方、ステップＳ２において、表示設定部４３１は、表示部２２が曲げられていると判断した場合、図４に示すように、正面表示部２３と、左側面表示部２４と、右側面表示部２５と、を設定する（ステップＳ３）。
【００２９】
この後、表示制御部４３２は、正面表示部２３に２つのページ画像ＰＰを見開きで表示させる（ステップＳ４：表示制御ステップ）。さらに、表示制御部４３２は、左厚み画像ＴＬおよび右厚み画像ＴＲを左側面表示部２４および右側面表示部２５にそれぞれ表示させる（ステップＳ５：表示制御ステップ）。
次に、ページめくり部４３３は、後述する第１めくり処理の実行操作が行われたか否かを判断する（ステップＳ６）。このステップＳ６において、ページめくり部４３３は、第１めくり処理の実行操作が行われたと判断した場合、第１めくり処理を行う（ステップＳ７）。
そして、ページめくり部４３３は、第１めくり処理を終了すると、電子書籍ＤＢの表示処理の終了操作が行われたか否かを判断する（ステップＳ８）。このステップＳ８において、ページめくり部４３３は、終了操作が行われたと判断した場合、処理を終了し、終了操作が行われていないと判断した場合、ステップＳ２の処理を行う。
【００３０】
また、ページめくり部４３３は、ステップＳ６において、第１めくり処理の実行操作が行われていないと判断した場合、後述する第２めくり処理の実行操作が行われたか否かを判断する（ステップＳ９）。このステップＳ９において、ページめくり部４３３は、第２めくり処理の実行操作が行われたと判断した場合、第２めくり処理を行う（ステップＳ１０）。また、ページめくり部４３３は、ステップＳ９において第２めくり処理の実行操作が行われていないと判断した場合、または、ステップＳ１０における第２めくり処理を終了した場合、ステップＳ８の処理を行う。
【００３１】
次に、ステップＳ７における第１めくり処理について説明する。なお、以下において、ページ番号がＭ（Ｍは整数）のページ画像ＰＰを図を用いて説明する場合、ページ画像ＰＰＭと称して説明する場合がある。また、右手の人差し指を第１指示物Ｆ１とし、左手の人差し指を第２指示物Ｆ２と称して説明する場合がある。
【００３２】
例えば、図４に示すように、ページ画像ＰＰ６８，ＰＰ６９が表示されている状態において、ページめくり部４３３は、図５に示すように、正面表示部２３が指示物Ｆでタッチされたか否かを判断する（ステップＳ２１）。このステップＳ２１において、ページめくり部４３３は、正面表示部２３がタッチされたと判断した場合、指示物Ｆでドラッグ操作が行われたか否かを判断する（ステップＳ２２）。
そして、ページめくり部４３３は、ステップＳ２２において、ドラッグ操作が行われたと判断した場合、表示部２２上でドラッグ操作が行われた場合と同じように、１ページのページ送り処理またはページ戻し処理を行う（ステップＳ２３）。すなわち、ページめくり部４３３は、図４に示すように、第１指示物Ｆ１によって、右側のページ画像ＰＰ６９に対し、矢印Ｄ１で示す左方向へのドラッグ操作が行われた場合、１ページのページ送り処理を行い、左側のページ画像ＰＰ６８に対し、矢印Ｄ２で示す右方向へのドラッグ操作が行われた場合、１ページのページ戻し処理を行う。これにより、１回のページ送り処理が行われた場合、ページ番号が７０，７１のページ画像ＰＰが表示され、１回のページ戻し処理が行われた場合、ページ番号が６６，６７のページ画像ＰＰが表示される。
【００３３】
この後、ページめくり部４３３は、図５に示すように、ページ送り処理またはページ戻し処理に対応して、右厚み画像ＴＲおよび左厚み画像ＴＬが表す厚みを変更し（ステップＳ２４）、第１めくり処理の終了操作が行われたか否かを判断する（ステップＳ２５）。このステップＳ２５において、ページめくり部４３３は、終了操作が行われたと判断した場合、処理を終了し、終了操作が行われていないと判断した場合、ステップＳ２１の処理を行う。
【００３４】
一方、ページめくり部４３３は、ステップＳ２１において、正面表示部２３がタッチされていないと判断した場合、右側面表示部２５が指示物Ｆでタッチされたか否かを判断する（ステップＳ２６）。このステップＳ２６において、ページめくり部４３３は、右側面表示部２５がタッチされていないと判断した場合、ステップＳ２１の処理を行い、右側面表示部２５がタッチされたと判断した場合、指示物Ｆでドラッグ操作が行われたか否かを判断する（ステップＳ２７）
そして、ページめくり部４３３は、ステップＳ２７において、ドラッグ操作が行われたと判断した場合、上下方向のドラッグ操作が行われたか否かを判断する（ステップＳ２８）。このステップＳ２８において、ページめくり部４３３は、上下方向のドラッグ操作が行われたと判断した場合、図４に矢印Ｄ３で示す上方向のドラッグ操作が行われたか否かを判断する（ステップＳ２９）。
【００３５】
ページめくり部４３３は、ステップＳ２９において、上方向のドラッグ操作が行われたと判断した場合、例えば５ページのページ戻し処理を、中速ページ戻し処理として行う（ステップＳ３０）。例えば、図４に示す状態において、ステップＳ３０における中速ページ戻し処理が行われると、図６に示すように、ページ画像ＰＰ５８，ＰＰ５９（ページ画像ＰＰ６８の１０ページ（（２×５）ページ）前、９ページ（（２×５−１）ページ）前のページ画像ＰＰ）の全体が正面表示部２３に表示される。
【００３６】
一方、ページめくり部４３３は、図５に示すように、ステップＳ２９において、第１指示物Ｆ１によって、図４に矢印Ｄ４で示す下方向のドラッグ操作が行われたと判断した場合、例えば５ページのページ送り処理を、中速ページ送り処理として行う（ステップＳ３１）。例えば、図４に示す状態において、ステップＳ３１における中速ページ送り処理が行われると、ページ番号が７８，７９のページ画像ＰＰ（ページ画像ＰＰ６９の９ページ（（２×５−１）ページ）後、１０ページ（（２×５）ページ）後のページ画像ＰＰ）の全体が正面表示部２３に表示される。
【００３７】
また、ページめくり部４３３は、ステップＳ２８において、第１指示物Ｆ１によって、図４に矢印Ｄ５で示す右方向のドラッグ操作が行われたと判断した場合、例えば１０ページのページ送り処理を、高速ページ送り処理として行う（ステップＳ３２）。例えば、図４に示す状態において、ステップＳ３２における高速ページ送り処理が行われると、ページ番号が８８，８９のページ画像ＰＰ（ページ画像ＰＰ６９の１９ページ（（２×１０−１）ページ）後、２０ページ（（２×１０）ページ）後のページ画像ＰＰ）の全体が正面表示部２３に表示される。
【００３８】
なお、ページめくり部４３３は、ステップＳ３０，Ｓ３１，Ｓ３２における中速ページ戻し処理、中速ページ送り処理、高速ページ送り処理の途中に、しおりが設定されたページ画像ＰＰが存在することを検出すると、ページ送り処理またはページ戻し処理を途中で終了し、当該しおりが設定されたページ画像ＰＰを表示させる。例えば、ページめくり部４３３は、ページ番号が６３のページ画像ＰＰにしおりが設定されている状態で、中速ページ戻し処理を行う場合、図６に示す状態までページ画像ＰＰをめくらずに、ページ番号が６２，６３のページ画像ＰＰの全体を表示させて中速ページ戻し処理を終了する。
そして、ページめくり部４３３は、ステップＳ３０，Ｓ３１，Ｓ３２における中速ページ戻し処理、中速ページ送り処理、高速ページ送り処理を行うと、ステップＳ２４の処理を行い、右厚み画像ＴＲおよび左厚み画像ＴＬを変更する。
【００３９】
次に、ステップＳ１０における第２めくり処理について説明する。
例えば、図４に示すように、ページ画像ＰＰ６８，ＰＰ６９が表示されている状態において、ページめくり部４３３は、図７に示すように、正面表示部２３が指示物Ｆでタッチされたか否かを判断し（ステップＳ４１）、正面表示部２３がタッチされたと判断した場合、指示物Ｆでドラッグ操作が行われたか否かを判断する（ステップＳ４２）。
そして、ページめくり部４３３は、ステップＳ４２において、ドラッグ操作が行われたと判断した場合、１ページの半めくり送り処理または半めくり戻し処理を行う（ステップＳ４３）。
【００４０】
具体的には、ページめくり部４３３は、図４に示すように、第１指示物Ｆ１によって、右側のページ画像ＰＰ６９に対し、矢印Ｄ１で示す左方向へのドラッグ操作が行われた場合、表示中のページ画像ＰＰの一部を表示したまま、ページ画像ＰＰのめくり処理を行う１ページの半めくり送り処理を行う。これにより、図８に示すように、表示中のページ画像ＰＰ６８の左側の一部がめくり前画像ＰＢ６８として表示されたまま、ページ番号が７０のページ画像ＰＰの左側の一部である半めくり画像ＰＨ７０と、ページ画像ＰＰ７１の略全体とが表示される。
また、ページめくり部４３３は、図４に示すように、第１指示物Ｆ１によって、左側のページ画像ＰＰ６８に対し、矢印Ｄ２で示す右方向へのドラッグ操作が行われた場合、１ページの半めくり送り処理とめくり方向が反対の１ページの半めくり戻し処理を行う。これにより、図９に示すように、表示中のページ画像ＰＰ６９の右側の一部がめくり前画像ＰＢ６９として表示されたまま、ページ番号が６７のページ画像ＰＰの右側の一部である半めくり画像ＰＨ６７と、ページ画像ＰＰ６６の略全体とが正面表示部２３に表示される。
【００４１】
また、ページめくり部４３３は、図７に示すように、ステップＳ４１において、正面表示部２３がタッチされていないと判断した場合、右側面表示部２５がタッチされたか否かを判断し（ステップＳ４４）、タッチされていないと判断した場合、ステップＳ４１の処理を行い、タッチされたと判断した場合、指示物Ｆでドラッグ操作が行われたか否かを判断する（ステップＳ４５）。
そして、ページめくり部４３３は、ステップＳ４５において、ドラッグ操作が行われたと判断した場合、上下方向のドラッグ操作が行われたか否かを判断し（ステップＳ４６）、上下方向のドラッグ操作が行われたと判断した場合、上方向のドラッグ操作が行われたか否かを判断する（ステップＳ４７）。
【００４２】
ページめくり部４３３は、ステップＳ４７において、図４に矢印Ｄ３で示す上方向のドラッグ操作が行われたと判断した場合、例えば５ページの半めくり戻し処理を、中速半めくり戻し処理として行う（ステップＳ４８）。例えば、図４に示す状態において、ステップＳ４８における中速半めくり戻し処理が行われると、ページ画像ＰＰ６９の右側の一部がめくり前画像として表示されたまま、ページ画像ＰＰ５９の右側の一部である半めくり画像と、ページ画像ＰＰ５８の略全体とが正面表示部２３に表示される。
【００４３】
一方、ページめくり部４３３は、ステップＳ４７において、図４に矢印Ｄ４で示す下方向のドラッグ操作が行われたと判断した場合、例えば５ページの半めくり送り処理を、中速半めくり送り処理として行う（ステップＳ４９）。例えば、図４に示す状態において、ステップＳ４９における中速半めくり送り処理が行われると、ページ画像ＰＰ６８の左側の一部がめくり前画像として表示されたまま、ページ番号が７８のページ画像ＰＰの左側の一部である半めくり画像と、ページ番号が７９のページ画像ＰＰの略全体とが正面表示部２３に表示される。
【００４４】
また、ページめくり部４３３は、ステップＳ４６において、図４に矢印Ｄ５で示す右方向のドラッグ操作が行われたと判断した場合、例えば１０ページの半めくり送り処理を、高速半めくり送り処理として行う（ステップＳ５０）。例えば、図４に示す状態において、ステップＳ５０における高速半めくり送り処理が行われると、ページ画像ＰＰ６８の左側の一部がめくり前画像として表示されたまま、ページ番号が８８のページ画像ＰＰの左側の一部である半めくり画像と、ページ番号が８９のページ画像ＰＰの略全体とが正面表示部２３に表示される。
【００４５】
なお、ページめくり部４３３は、ステップＳ４８，Ｓ４９，Ｓ５０における中速半めくり戻し処理、中速半めくり送り処理、高速半めくり送り処理の途中に、しおりが設定されたページ画像ＰＰが存在することを検出すると、半めくり送り処理または半めくり戻し処理を途中で終了し、当該しおりが設定されたページ画像ＰＰを半めくり画像または略全体を表す画像として表示させる。
【００４６】
そして、ページめくり部４３３は、ステップＳ４３，Ｓ４８，Ｓ４９，Ｓ５０における１ページの半めくり送り処理または半めくり戻し処理、中速半めくり戻し処理、中速半めくり送り処理、高速半めくり送り処理を行うと、ステップＳ４３，Ｓ４８，Ｓ４９，Ｓ５０の処理に対応して、右厚み画像ＴＲおよび左厚み画像ＴＬが表す厚みを変更する（ステップＳ５１）。
【００４７】
この後、ページめくり部４３３は、図１０に示すように、半めくり画像に対してドラッグ操作が行われたか否かを判断する（ステップＳ５２）。このステップＳ５２において、ページめくり部４３３は、ドラッグ操作が行われていないと判断した場合、第２めくり処理の終了操作が行われたか否かを判断する（ステップＳ５３）。そして、ページめくり部４３３は、ステップＳ５３において、終了操作が行われたと判断した場合、処理を終了し、終了操作が行われていないと判断した場合、ステップＳ４１の処理を行う。
【００４８】
一方、ページめくり部４３３は、ステップＳ５２において、半めくり画像に対してドラッグ操作が行われたと判断した場合、ページ画像ＰＰのめくり方向と同じ方向のドラッグ操作か否かを判断する（ステップＳ５４）。このステップＳ５４において、ページめくり部４３３は、めくり方向と同じ方向のドラッグ操作であると判断した場合、このドラッグ操作を半めくり処理の有効操作として検出し、めくり前画像に代えて半めくり画像の全体を正面表示部２３に表示させる（ステップＳ５５）。
例えば、図８に示すように半めくり送り処理が行われた状態において、第２指示物Ｆ２によって矢印Ｄ６に示す左方向へのドラッグ操作が行われた場合、ページめくり部４３３は、ページ画像ＰＰのめくり方向と同じ方向のドラッグ操作が行われたと判断して、めくり前画像ＰＢ６８に代えて半めくり画像ＰＨ７０の全体を表すページ画像ＰＰを左側に表示させるとともに、ページ画像ＰＰ７１を右側に表示させる。
また、例えば、図９に示すように半めくり戻し処理が行われた状態において、第１指示物Ｆ１によって矢印Ｄ８に示す右方向へのドラッグ操作が行われた場合、ページめくり部４３３は、ページ画像ＰＰのめくり方向と同じ方向のドラッグ操作が行われたと判断して、めくり前画像ＰＢ６９に代えて半めくり画像ＰＨ６７の全体を表すページ画像ＰＰを右側に表示させるとともに、ページ画像ＰＰ６６を左側に表示させる。
【００４９】
また、ページめくり部４３３は、ステップＳ５４において、めくり方向と異なる（反対）方向のドラッグ操作であると判断した場合、このドラッグ操作を半めくり処理の無効操作として検出し、半めくり画像に代えてめくり前画像の全体を正面表示部２３に表示させる（ステップＳ５６）。
例えば、図８に示す状態において、第２指示物Ｆ２によって矢印Ｄ７に示す右方向へのドラッグ操作が行われた場合、ページめくり部４３３は、ページ画像ＰＰのめくり方向と反対方向のドラッグ操作が行われたと判断して、図４に示すように、半めくり画像ＰＨ７０に代えてめくり前画像ＰＢ６８の全体を表すページ画像ＰＰ６８を左側に表示させるとともに、ページ画像ＰＰ６９を右側に表示させる。
また、例えば、図９に示す状態において、第１指示物Ｆ１によって矢印Ｄ９に示す左方向へのドラッグ操作が行われた場合、ページめくり部４３３は、ページ画像ＰＰのめくり方向と反対方向のドラッグ操作が行われたと判断して、図４に示すように、ページ画像ＰＰ６８，ＰＰ６９の全体を表示させる。
【００５０】
さらに、中速半めくり送り処理、高速半めくり送り処理が行われた状態で、半めくり画像に対して左方向へのドラッグ操作が行われた場合、ページめくり部４３３は、ステップＳ５５の処理を行い、ページ画像ＰＰ６８のめくり前画像に代えて、ページ番号が７８，８８の半めくり画像の全体を表すページ画像ＰＰを左側に表示させるとともに、ページ番号が７９，８９のページ画像ＰＰを右側に表示させる。また、ページめくり部４３３は、右方向へのドラッグ操作が行われた場合、ステップＳ５６の処理を行い、図４に示すように、ページ画像ＰＰ６８，ＰＰ６９の全体を表示させる。
中速半めくり戻し処理が行われた状態で、半めくり画像に対して右方向へのドラッグ操作が行われた場合、ページめくり部４３３は、ステップＳ５５の処理を行い、ページ画像ＰＰ６９のめくり前画像に代えて、ページ番号が５９の半めくり画像の全体を表すページ画像ＰＰを右側に表示させるとともに、ページ番号が５８のページ画像ＰＰを左側に表示させる。また、ページめくり部４３３は、左方向へのドラッグ操作が行われた場合、ステップＳ５６の処理を行い、図４に示すように、ページ画像ＰＰ６８，ＰＰ６９の全体を表示させる。
【００５１】
そして、ページめくり部４３３は、ステップＳ５５，Ｓ５６の処理に対応して、右厚み画像ＴＲおよび左厚み画像ＴＬが表す厚みを変更し（ステップＳ５７）、ステップＳ５３の処理を行う。
【００５２】
［実施形態の作用効果］
上述したような実施形態では、以下のような作用効果を奏することができる。
（１）表示制御装置４の表示制御部４３２は、電子書籍ＤＢを構成する所定のページ画像ＰＰを正面表示部２３に表示させる第１表示処理と、左厚み画像ＴＬおよび右厚み画像ＴＲを左側面表示部２４および右厚み画像ＴＲにそれぞれ表示させる第２表示処理と、を行う。
このように、左厚み画像ＴＬ、右厚み画像ＴＲのみを表示させる左側面表示部２４、右側面表示部２５を、ページ画像ＰＰのみを表示させる正面表示部２３とは別に設けているため、ページ画像ＰＰを正面表示部２３の略全体に表示させることができる。したがって、ページ画像ＰＰの視認性を確保しつつ、左厚み画像ＴＬおよび右厚み画像ＴＲの表示によりページ画像ＰＰの数量をユーザに容易に認識させることができる。
【００５３】
（２）ページめくり部４３３は、正面表示部２３上でドラッグ操作された場合と、右側面表示部２５上でドラッグ操作された場合とで、ページ画像ＰＰをめくる数を異ならせている。
このため、ドラッグ操作の位置を変更するだけの簡単な方法でページ画像ＰＰの検索速度を変更することができ、ページ画像ＰＰを確認しながら、所望のページ画像ＰＰを迅速に検索することができる。
【００５４】
（３）ページめくり部４３３は、指示位置検出部４２での検出結果に基づいて、正面表示部２３または右側面表示部２５上でページめくり操作が行われたことを検出する。
このため、ユーザは正面表示部２３や右側面表示部２５に指示物Ｆを接触させたり近接させたりするだけの簡単な操作で、ページ画像ＰＰを検索することができる。
【００５５】
（４）ページめくり部４３３は、右側面表示部２５上で上下方向にドラッグ操作された場合と、右方向にドラッグ操作された場合とで、ページ画像ＰＰをめくる数を異ならせている。
このため、より細かい単位でページ画像ＰＰの検索速度を変更することができ、所望のページ画像ＰＰを迅速にかつ容易に検索することができる。
【００５６】
（５）ページめくり部４３３は、第２めくり処理において、ページ画像ＰＰの一部をめくり前画像として表示させたまま、めくったページ画像ＰＰの一部を半めくり画像として表示させる。
このため、ユーザは、ページめくり操作を行う前のページ画像ＰＰを確認しながら、ページ画像ＰＰを検索することができ、画像表示装置１の利便性を向上させることができる。
【００５７】
（６）ページめくり部４３３は、半めくり処理の有効操作を検出すると、めくり前画像に代えて半めくり画像の全体を表すページ画像ＰＰを表示させ、無効操作を検出すると、半めくり画像に代えてめくり前画像の全体を表すページ画像ＰＰを表示させる。
このため、ユーザは、半めくり処理を有効にするか無効にするかを選択することができ、画像表示装置１の利便性をさらに向上させることができる。
【００５８】
（７）表示制御装置４の表示設定部４３１は、表示部２２が曲げられていると判断すると、表示部２２に対して、正面表示部２３と、左側面表示部２４と、右側面表示部２５と、を設定する。
このため、画像表示装置１の用途に応じてページ画像ＰＰの表示範囲を変更することができる。
【００５９】
［変形例］
なお、本発明は、上述の実施形態に限定されるものではなく、本発明の目的を達成できる範囲での変形、改良などは本発明に含まれるものである。
【００６０】
すなわち、ページめくり部４３３は、図１１および図１２に示すような半めくり処理を行ってもよい。
具体的には、図１１に示すように、ページめくり部４３３は、第２指示物Ｆ２がページ画像ＰＰ６８上をタッチした状態で、第１指示物Ｆ１によってページ画像ＰＰ６９上で矢印Ｄ１０で示す左方向へのドラッグ操作が行われたことを検出すると、図１２に示すように、めくり前画像ＰＢ６８と、半めくり画像ＰＨ７０と、ページ画像ＰＰ７１と、を表示させる。この際、ページめくり部４３３は、めくり前画像ＰＢ６８と半めくり画像ＰＨ７０との境界ＢＡを、第２指示物Ｆ２のタッチ位置に設定する。これにより、ユーザは、めくり前画像ＰＢ６８と半めくり画像ＰＨ７０との大きさを、必要に応じて調整することができる。そして、ページめくり部４３３は、第２指示物Ｆ２によって図１２に矢印Ｄ１１で示す右方向へのドラッグ操作、すなわちめくり方向と反対方向のドラッグ操作が行われると、このドラッグ操作を半めくり処理の無効操作として検出し、半めくり画像ＰＨ７０に代えてめくり前画像ＰＢ６８の全体を表すページ画像ＰＰ６８を表示させるとともに、ページ画像ＰＰ６９を表示させる。一方、ページめくり部４３３は、第２指示物Ｆ２によるめくり前画像ＰＢ６８上のタッチが解除されると（第２指示物Ｆ２が離れると）、この解除を半めくり処理の有効操作として検出し、めくり前画像ＰＢ６８に代えて半めくり画像ＰＨ７０の全体を表すページ画像ＰＰを表示させるとともに、ページ画像ＰＰ７１を表示させる。
【００６１】
本発明の表示装置として、表示部の両端側が図２（Ｂ）に示すように予め曲がっているように製造されたものを適用してもよい。
表示設定部４３１は、左側面表示部２４および右側面表示部２５のうち一方を設定しなくてもよい。
本発明の第２表示部は、図２（Ａ）における表示部２２の上側や下側が曲げられたときに、当該上側や下側に設定されてもよい。
本発明の第１表示部および第２表示部は、別体のディスプレイで構成されてもよいい。
【００６２】
ページめくり部４３３は、例えば右側面表示部２５上で左方向のドラッグ操作が行われた場合、１０ページのページ戻し処理を、高速ページ戻し処理として行ってもよい。
ページめくり部４３３は、第１めくり処理および第２めくり処理の両方を実施しなくてもよいし、一方のみを実施してもよい。
ページめくり部４３３は、左側面表示部２４がドラッグ操作されたときにも、第１めくり処理や第２めくり処理を行ってもよい。
ページめくり部４３３は、左側面表示部２４のドラッグ操作に基づき第１めくり処理や第２めくり処理を行う場合、右側面表示部２５がドラッグ操作されても第１めくり処理や第２めくり処理を行わなくてもよい。
ページめくり部４３３は、左側面表示部２４と右側面表示部２５のうち一方のドラッグ操作に基づき第１めくり処理を行い、他方のドラッグ処理に基づき第２めくり処理を行ってもよい。
ページめくり部４３３は、ドラッグ操作に基づいて第１，第２めくり処理を行ったが、フリック操作やタッチ操作に基づいて第１，第２めくり処理を行ってもよい。
ページめくり部４３３は、中速や高速のページ送り処理や半めくり送り処理、中速のページ戻し処理や半めくり戻し処理のうち、少なくとも１つの処理を行わなくてもよい。
ページめくり部４３３は、正面表示部２３や右側面表示部２５にカーソルポインタを移動させるマウスやキーボードの操作に基づいて、第１めくり処理や第２めくり処理を行ってもよい。
【００６３】
正面表示部２３がドラッグ操作されたときにページ画像ＰＰをめくる数を、右側面表示部２５がドラッグ操作されたときにめくる数より多くしてもよい。
中速や高速のページ送り処理や半めくり送り処理、中速のページ戻し処理や半めくり戻し処理におけるページ画像ＰＰをめくる数は、高速時が中速時より多ければ、上述した数に限られない。
ページ画像ＰＰの送り処理と戻し処理とで、ページ画像ＰＰをめくる数が異なっていてもよい。
本発明の数量画像としては、ページ画像ＰＰの数量を数字や文字あるいはグラフ形式で表すものであってもよい。
【００６４】
さらに、上述した各機能をプログラムとして構築したが、例えば回路基板などのハードウェアあるいは１つのＩＣ（Integrated Circuit）などの素子にて構成するなどしてもよく、いずれの形態としても利用できる。
また、上述した本発明の表示制御方法をコンピュータに実施させるためのプログラムを、電気通信回線を通じて提供したり、記録媒体に記録して譲渡したりすれば、取扱いが容易で、利用の拡大を容易に図れる。
【符号の説明】
【００６５】
１…画像表示装置
３…表示装置
４…表示制御装置
２２…表示部
２３…正面表示部（第１表示部）
２４…左側面表示部（第２表示部）
２５…右側面表示部（第２表示部）
４１…曲げ検出部
４２…指示位置検出部
４３１…表示設定部
４３２…表示制御部
４３３…ページめくり部
ＴＬ…左厚み画像（数量画像）
ＴＲ…右厚み画像（数量画像）
ＰＰ…ページ画像
【図１】
2015179362.tif 000003
【図２】
2015179362.tif 000004
【図３】
2015179362.tif 000005
【図４】
2015179362.tif 000006
【図５】
2015179362.tif 000007
【図６】
2015179362.tif 000008
【図７】
2015179362.tif 000009
【図８】
2015179362.tif 000010
【図９】
2015179362.tif 000011
【図１０】
2015179362.tif 000012
【図１１】
2015179362.tif 000013
【図１２】
2015179362.tif 000014